(57)【要約】【課題】異なる複数の遊技状態を備える遊技機において、複数の遊技状態の内、いずれの遊技状態で大当たりしたかを遊技者が容易に認識することのできるようにする。【解決手段】異なる複数の遊技状態を発生可能に備え、発生した遊技状態における遊技実行中に大当たり判定条件の成立に従い、遊技の大当たりを判定する大当たり判定手段と、前記大当たり判定手段による判定結果が大当たりの場合に特別遊技を実行する特別遊技実行制御手段とを備えた遊技機において、前記異なる複数の遊技状態の内、何れの遊技状態中に前記大当たり判定手段による判定結果が大当たりとなったのかを報知する報知手段を備えた。前記異なる複数の遊技状態は、前記特別遊技終了後に発生する特典遊技状態と、前記遊技機の初期設定時に発生する通常遊技状態とを含む。【選択図】      図１９
2004202083.tif 000002
【特許請求の範囲】
【請求項１】
異なる複数の遊技状態と、
遊技実行中に大当たり判定条件の成立に従い、遊技の大当たりを判定する大当たり判定手段と、
前記大当たり判定手段による判定結果が大当たりの場合に特別遊技を実行する特別遊技実行制御手段とを備えた遊技機において、
前記異なる複数の遊技状態の内、何れの遊技状態中に前記大当たり判定手段による判定結果が大当たりとなったのかを報知する報知手段を備えたことを特徴とする遊技機。
【請求項２】
前記異なる複数の遊技状態は、通常遊技状態と、前記特別遊技終了後に発生する特典遊技状態とを含むことを特徴とする請求項１に記載の遊技機。
【請求項３】
前記特典遊技状態には、前記通常遊技状態よりも、前記大当たり判定手段により大当たりと判定される割合が高い高確率状態のものを含むことを特徴とする請求項２に記載の遊技機。
【請求項４】
遊技領域を有する遊技盤を備え、
前記遊技盤に設けられた小当たり用始動口への遊技球の入球に起因して遊技の小当たりを判定する小当たり判定手段と、
前記小当たり判定手段に基づく判定結果が小当たりの場合に、大当たり用始動口の入球可能領域を拡大する拡大手段と、
前記拡大手段の制御を行う拡大制御手段とを備え、
前記特典遊技状態には、前記大当たり用始動口の入球可能領域拡大時間を前記通常遊技状態における前記大当たり用始動口の入球可能領域拡大時間よりも長くする、拡大時間延長状態のものを含むことを特徴とする請求項２又は３に記載の遊技機。
【請求項５】
前記特典遊技状態には、前記高確率状態と前記拡大時間延長状態の両者を併有するものを含むことを特徴とする請求項４に記載の遊技機。
【請求項６】
小当たり判定図柄を変動開始後に停止表示させて前記小当たり判定図柄の停止表示図柄によって前記小当たり判定手段の小当たり判定結果を表示する小当たり判定結果表示手段を備え、
前記特典遊技状態には、前記小当たり判定図柄の変動開始から停止までの変動時間を前記通常遊技状態における前記小当たり判定図柄の変動時間よりも短くする、変動時間短縮状態のものを含むことを特徴とする請求項４又は５に記載の遊技機。
【請求項７】
前記報知手段による報知は、文字画像による表示であることを特徴とする請求項１から６の何れか一項に記載の遊技機。
【請求項８】
前記報知手段による報知時に、過去の報知内容についても報知することを特徴とする請求項１から７の何れか一項に記載の遊技機。
【請求項９】
前記大当たり判定手段による判定結果を表示する大当たり判定結果表示手段を備え、前記報知手段による報知を前記大当たり判定結果表示手段への表示により行うことを特徴とする請求項１から８の何れか一項に記載の遊技機。
【請求項１０】
前記遊技機の初期設定を行う初期設定手段、前記大当たり判定手段、前記特別遊技実行制御手段、前記拡大制御手段及び前記小当たり判定手段を少なくとも備える主制御回路と、前記主制御回路から受信した制御信号により前記小当たり判定結果表示手段及び前記大当たり判定結果表示手段の制御を行う表示制御回路とを備え、前記表示制御回路は、前記異なる複数の遊技状態の内、現在の遊技状態を記憶し認識することを特徴とする請求項９に記載の遊技機。
【発明の詳細な説明】
【０００１】
【発明の属する技術分野】
本発明は、パチンコ遊技機等に代表される遊技機に関する。
【０００２】
【従来の技術】
従来、パチンコ遊技機等のような遊技機にあっては、異なる複数の遊技状態を発生可能に備え、発生した遊技状態における遊技実行中に大当たり判定条件の成立に従い、遊技の大当たりを判定する大当たり判定手段と、前記大当たり判定手段による判定結果が大当たりの場合に特別遊技を実行する特別遊技実行制御手段とを備え、特別遊技中の大当たり画面には、複数種類のキャラクタから一つのキャラクタを選択し、また、遊技機が大当たりとなった時点の大当たり図柄を表示するものがある（特許文献１参照。）。
【０００３】
【特許文献１】特開２００２−２０４８６４号公報（図１０）
【０００４】
【発明が解決しようとする課題】
しかしながら、従来の遊技機においては、例えば、特別遊技中の大当たり画面は、遊技機が大当たりとなった時点の大当たり図柄を表示するのみで、異なる複数の遊技状態の内、何れの遊技状態で大当たりしたのかに関係無く演出表示していたため、遊技者にとって、何れの遊技状態で大当たりしたのかについては遊技者の記憶に頼っており、不親切であるという問題がある。
【０００５】
本発明は、前記の点に鑑みなされたもので、異なる複数の遊技状態を備える遊技機において、複数の遊技状態の内、いずれの遊技状態で大当たりしたかを遊技者が認識することのできる、遊技者に親切で遊技の興趣も向上させることができる遊技機の提供を目的とする。
【０００６】
【課題を解決するための手段】
請求項１の発明は、異なる複数の遊技状態と、遊技実行中に大当たり判定条件の成立に従い、遊技の大当たりを判定する大当たり判定手段と、前記大当たり判定手段による判定結果が大当たりの場合に特別遊技を実行する特別遊技実行制御手段とを備えた遊技機において、前記異なる複数の遊技状態の内、何れの遊技状態中に前記大当たり判定手段による判定結果が大当たりとなったのかを報知する報知手段を備えたことを特徴とする。
【０００７】
請求項２の発明は、請求項１において、前記異なる複数の遊技状態が、通常遊技状態と、前記特別遊技終了後に発生する特典遊技状態とを含むことを特徴とする。
【０００８】
請求項３の発明は、請求項２において、前記特典遊技状態には、前記通常遊技状態よりも、前記大当たり判定手段により大当たりと判定される割合が高い高確率状態のものを含むことを特徴とする。
【０００９】
請求項４の発明は、請求項２又は３において、遊技領域を有する遊技盤を備え、前記遊技盤に設けられた小当たり用始動口への遊技球の入球に起因して遊技の小当たりを判定する小当たり判定手段と、前記小当たり判定手段に基づく判定結果が小当たりの場合に、大当たり用始動口の入球可能領域を拡大する拡大手段と、前記拡大手段の制御を行う拡大制御手段とを備え、前記特典遊技状態には、前記大当たり用始動口の入球可能領域拡大時間を前記通常遊技状態における前記大当たり用始動口の入球可能領域拡大時間よりも長くする、拡大時間延長状態のものを含むことを特徴とする。
【００１０】
請求項５の発明は、請求項４において、前記特典遊技状態には、前記高確率状態と前記拡大時間延長状態の両者を併有するものを含むことを特徴とする。
【００１１】
請求項６の発明は、請求項４又は５において、小当たり判定図柄を変動開始後に停止表示させて前記小当たり判定図柄の停止表示図柄によって前記小当たり判定手段の小当たり判定結果を表示する小当たり判定結果表示手段を備え、前記特典遊技状態には、前記小当たり判定図柄の変動開始から停止までの変動時間を前記通常遊技状態における前記小当たり判定図柄の変動時間よりも短くする、変動時間短縮状態のものを含むことを特徴とする。
【００１２】
請求項７の発明は、請求項１から６の何れか一項において、前記報知手段による報知は、文字画像による表示であることを特徴とする。
【００１３】
請求項８の発明は、請求項１から７の何れか一項において、前記報知手段による報知時に、過去の報知内容についても報知することを特徴とする。
【００１４】
請求項９の発明は、請求項１から８の何れか一項において、前記大当たり判定手段による判定結果を表示する大当たり判定結果表示手段を備え、前記報知手段による報知を前記表示手段の表示により行うことを特徴とする。
【００１５】
請求項１０の発明は、請求項９において、前記遊技機の初期設定を行う初期設定手段、前記大当たり判定手段、前記特別遊技実行制御手段、前記拡大制御手段及び前記小当たり判定手段を少なくとも備える主制御回路と、前記主制御回路から受信した制御信号により前記小当たり判定結果表示手段及び前記大当たり判定結果表示手段の制御を行う表示制御回路とを備え、前記表示制御回路は、前記異なる複数の遊技状態の内、現在の遊技状態を記憶し認識することを特徴とする。
【００１６】
【発明の実施の形態】
以下、添付の図面に基づき本発明の好適な実施形態を説明する。図１は本発明の一実施例に係る遊技機全体について遊技盤の釘を省略して示す正面図、図２は同遊技機の電気制御を簡略に示すブロック図、図３は同遊技機の表示制御回路のブロック図である。
【００１７】
図１に示すこの実施例の遊技機１は、遊技媒体として遊技球を用いるパチンコ遊技機であって、遊技盤３の縁に遊技球の外側ガイドレール４及び内側ガイドレール５が略円形に立設され、前記内側ガイドレール５によって囲まれた遊技領域６の中心線上にその上部から下部に向かって順に表示装置９、始動口１０、特別電動役物である大入賞口１５、アウト口１７が配設され、また上方両側にはランプ風車１８ａ，１８ｂ、その下方に普通図柄変動開始用左ゲート１９及び普通図柄変動開始用右ゲート２１、その下方に左袖入賞口２３と右袖入賞口２５、さらには前記大入賞口１５の両側に左落とし入賞口２７と右落とし入賞口２９が配設されている。前記種々の入賞口に遊技球が入賞（入球）すると所定数の遊技球が賞品球として払い出される。なお、後に詳述する大当たりになると大入賞口１５が開き、遊技球が入賞（入球）し易い特別遊技が実行される。符号２２ａ，２２ｂは風車、Ｆ１は外枠、Ｆ２は外枠Ｆ１に取り付けられた前枠、Ｇは前枠Ｆ２に開閉可能にヒンジで取り付けられたガラス枠Ｇである。
【００１８】
また、前記遊技機１の前面側には、枠飾り上ランプ３５ａ、枠飾り右ランプ３５ｂ及び枠飾り左ランプ３５ｃからなるランプ表示器３５、払い出された遊技球を受けるための上側球受け皿３６、該上側球受け皿３６の飽和時に遊技球を受けるための下側球受け皿３７、効果音等を発するスピーカ３８、遊技者の発射操作に応じて遊技球を遊技領域６に向けて弾発発射する発射装置６４等がそれぞれ組み付けられている。以下、所要の各部についてさらに詳述する。
【００１９】
前記表示装置９は、大当たり判定結果表示手段に相当する特別図柄表示部４２と、左下に組み込まれた小当たり判定結果表示手段に相当する普通図柄表示部４５とよりなる。特別図柄表示部４２は、液晶，ドットマトリックス若しくはＬＥＤ表示装置等の表示装置からなる。本実施例では、液晶表示器（ＴＦＴ−ＬＣＤモジュール）で構成される。また、前記特別図柄表示部４２は、本実施例では報知手段を兼ねる。前記普通図柄表示部４５は、液晶表示器の一部を表示領域としている。
【００２０】
前記特別図柄表示部４２は、左右に並ぶ左側表示領域、中央表示領域、右側表示領域の３つに分割された特別図柄表示領域を有し、前記特別図柄表示領域に大当たり判定用の特別図柄が表示される。前記左側表示領域には左特別図柄が、中央表示領域には中特別図柄が、右側表示領域には右特別図柄が、それぞれ大当たり判定図柄として、変動表示及び停止表示可能とされている。本実施例における前記左側表示領域、中央表示領域、右側表示領域にそれぞれ表示される特別図柄は、『０，１，２，３，４，５，６，７，８，９，１０，１１』の１２種類の図柄とされている。
【００２１】
また、前記特別図柄表示部４２には、前記特別図柄に加えてキャラクタ画像、背景画像、文字画像等が表示可能とされ、前記キャラクタ画像、背景画像、文字画像等が特別図柄の変動開始等の所定条件に起因して変動表示可能となっている。さらにこの実施例では、図１９に示すように、前記特別図柄表示部４２には、複数の文字画像が表示可能とされ、後述の異なる複数の遊技状態の内、何れの遊技状態中に大当たりとなったかを、文字画像の表示により報知可能とされている。さらに、同時に過去の報知内容についても報知可能にされている。
【００２２】
前記普通図柄表示部４５は、小当たり判定図柄として記号或いは絵（キャラクタ）等からなる普通図柄を変動表示及び停止表示可能とされている。本実施例における前記普通図柄表示部４５に変動及び停止表示される普通図柄（小当たり判定図柄）は、『０，１，２，３，４，５，６，７，８，９』の１０通りの図柄とされており、所定条件に起因して変動及び停止表示される。なお、前記表示装置９外周の窓枠部４１には、ＬＥＤ等からなる特別図柄変動数記憶表示器５１が設けられている。
【００２３】
前記始動口１０は本発明における大当たり用始動口に相当するものであって、表示装置９の真下に設けられ、２つの可動片１０ａ，１０ｂの先端間が入球可能領域とされ、前記可動片１０ａ，１０ｂが背面の始動口用ソレノイド（本発明における拡大手段に相当する）により略垂直にされて入球（入賞）のし難い入球可能領域狭小状態と、略Ｖ字形（逆ハの字形）に拡開されて入球（入賞）のし易い入球可能領域拡大状態間を変化可能に制御されている。前記始動口１０の入球可能領域拡大は、前記普通図柄表示部４５の普通図柄（小当たり判定図柄）が変動した後に予め決められた特定の図柄で確定停止表示されて小当たり（普通図柄当たり）が成立した時に行われている。
【００２４】
また、前記遊技盤３の背面には、前記始動口１０に入球（入賞）した遊技球を検出する特別図柄変動開始スイッチ（始動口センサー）が入球遊技球（入賞球）用通路に設けられており、該入球遊技球（入賞球）の検出によって前記特別図柄表示部４２で特別図柄変動を開始し演出を行うようになっている。その際、特別図柄が変動している遊技演出中に前記始動口１０で検出された入賞回数については、最高４回記憶され、前記特別図柄変動数記憶表示器５１に保留記憶数として表示され、前記保留記憶数の減少によって前記特別図柄変動数記憶表示器５１の表示数を減らすようになっている。
【００２５】
前記普通図柄変動開始用左ゲート１９及び普通図柄変動開始用右ゲート２１は、本発明における小当たり用始動口に相当するものであって、該両ゲート１９，２１を通過する遊技球を検出する普通図柄変動開始スイッチを備え、該普通図柄変動開始スイッチで遊技球を検出することによって遊技の小当たりを判定するための乱数を取得し、前記普通図柄表示部４５で普通図柄変動を開始させるようになっている。前記普通図柄変動開始用左ゲート１９及び普通図柄変動開始用右ゲート２１を遊技球が通過することによって発生する普通図柄変動開始の数は、最高４回記憶し、前記遊技盤３の右下に位置する普通図柄変動数記憶表示器４７で表示するようになっている。また、前記左袖入賞口２３と右袖入賞口２５には入賞球（入球遊技球）を検出する左袖入賞口用検出スイッチと右袖入賞口用検出スイッチが、他方前記左落とし入賞口２７と右落とし入賞口２９には入賞球（入球遊技球）を検出する左落とし入賞口用検出スイッチと右落とし入賞口用検出スイッチが、それぞれ対応する遊技盤背面に設けられている。
【００２６】
前記大入賞口１５は、遊技盤背面の大入賞口開放用ソレノイドによって開閉する開閉板６１を備えている。この大入賞口１５は、通常は開閉板６１が閉じた状態とされ、当該大入賞口１５の一部には、該大入賞口１５が開いた際に開口して入賞（入球）可能にする特定領域入賞口６３を有する。さらに、前記特定領域入賞口６３には、所定条件時に特定領域開放用ソレノイドにより開閉される開閉扉（図示せず）が設けられている。また、前記特定領域入賞口６３には特定領域入賞口６３への入賞球（入球遊技球）を検出する特定入賞球検出スイッチ（特定領域センサー）が設けられ、該入賞球の検出により大入賞口１５を再度開ける継続権利が成立するようにされている。前記大入賞口１５内の略中央には、前記大入賞口１５に入賞し、かつ前記特定領域入賞口６３に入賞しなかった入賞球を検出する入賞球数カウントスイッチ（カウントセンサー）が設けられている。
【００２７】
前記発射装置６４は、操作レバー６５の操作により遊技機内側の発射モータが作動して遊技球を弾発発射するようになっている。前記発射装置６４により発射された発射球は、前記遊技盤面に立設された外側誘導レール４と内側誘導レール５間で構成される発射球誘導路を介して遊技領域６に誘導されるようになっている。前記発射球誘導路により遊技領域６に誘導された遊技球は、転動しつつ下方へ落下し、前記始動口１０や各入賞口に入賞（入球）するか、或いは何処にも入賞（入球）しなければ前記アウト口１７から遊技盤３の裏側へ排出されるように構成されている。なお、この例の遊技機１はプレイペイドカードユニット６６が接続されている。
【００２８】
また、前記遊技機１の裏側には、遊技を制御するための複数の制御回路や装置が設けられている。図２のブロック図は同遊技機の電気制御を簡略に示すものであり、前記制御回路として、主制御回路７０、表示制御回路９０、発光体制御回路８８、払出制御回路１１０、音声制御回路１２０等が示されている。
【００２９】
前記主制御回路７０は、本発明の主制御手段に相当し、プログラムに従って制御動作を行うＣＰＵ７２、該ＣＰＵ７２のワーク用メモリとして機能するＲＡＭ７３、遊技制御用プログラムを記憶するＲＯＭ７４を備えたワンチップマイクロコンピュータ７１、該ワンチップコンピュータ７１と表示制御回路９０等を結ぶＩ／Ｏ（入出力）バス７５，７６、出力ポート７７、ドライバ７８、バッファゲート７９、インターフェイス８０等により構成され、前記プログラムの実施により機能する初期設定手段、大当たり判定手段、特別遊技実行制御手段、拡大制御手段及び小当たり判定手段を備える。
【００３０】
前記ＣＰＵ７２は、制御部、演算部、各種レジスタ、各種フラグ等を備え、演算制御を行う他、遊技の制御に使用する乱数値の生成、例えば、特別図柄による大当たり（特別遊技状態）の発生確率や普通図柄による小当たり（始動口１０の入球可能領域拡大）の発生確率を定める乱数、さらには表示制御回路９０等のサブ制御回路や他の制御装置に対する制御信号（コマンド）等をプログラムに従って生成する。
【００３１】
前記ＲＡＭ７３は特別図柄変動開始スイッチの検出信号及び普通図柄変動開始スイッチの検出信号用の記憶領域、前記ＣＰＵ７２で生成される各種乱数用の記憶領域、各種データを一時的に記憶する記憶領域やフラグ、並びに前記ＣＰＵ７２の作業領域を備えている。また、前記ＲＯＭ７４には、遊技上の制御プログラムや制御データ、制御信号（コマンド）が書き込まれている他、大当たり及び小当たりの判定値等が書き込まれている。
【００３２】
その他、前記ワンチップマイクロコンピュータ７１には、遊技機１の電源投入時に各種制御情報を初期化する初期リセット回路と、ワンチップマイクロコンピュータ７１のＲＯＭ７４に記憶されている遊技制御用プログラムを定期的（この例では２ｍｓｅｃ毎）に実行させる定期リセット回路が設けられている。
【００３３】
前記主制御回路７０から出力される制御信号（コマンド）は、前記Ｉ／Ｏバス７５や出力ポート７７、ドライバ７８を介して種々のサブ制御回路や装置を制御する。すなわち、前記ドライバ７８には始動口１０、大入賞口１５、情報出力回路８３等が接続され、前記出力ポート７７には表示制御回路９０、発光体制御回路８８、音声制御回路１２０が接続され、前記Ｉ／Ｏバス７５には音声制御回路１２０が接続されている。なお、前記情報出力回路８３には、ホストコンピュータであるホール用の管理装置８４が接続され、大当たり情報や図柄確定情報、確率変動情報等の各種遊技情報が出力される。
【００３４】
前記表示制御回路９０は、前記主制御回路７０から特別図柄の変動態様、停止特別図柄、各種遊技状態の制御信号（コマンド）を受信し、受信した制御信号に基づいて所定の表示制御処理を行うサブ制御回路（サブ制御手段）であって、本発明における表示制御手段に相当し、この表示制御回路９０に接続されている前記特別図柄表示部４２、前記普通図柄表示部４５、前記普通図柄変動数記憶表示器４７、前記特別図柄変動数記憶表示器５１、前記発光体制御回路８８、前記音声制御回路１２０の制御を行う。
【００３５】
前記表示制御回路９０は、図３に示す構成からなり、前記特別図柄表示部４２及び普通図柄表示部４５に遊技画像を表示するための表示制御プログラム等の制御データを記憶する制御データＲＯＭ９２、主制御回路７０から送られた変動態様、現在及び過去の所要回数の大当たり時点の遊技状態や報知内容等を一時記憶する制御データＲＡＭ９３、遊技画像（特別図柄、背景（文字、キャラクタ等を含む））、報知用の複数の文字画像データ等を記憶する画像データＲＯＭ９６、前記主制御回路７０の制御信号（コマンド）により、前記制御データＲＯＭ９２及び制御データＲＡＭ９３の制御データに従って演算及び制御等する表示制御用ＣＰＵ（制御部、演算部、各種制御部、演算部、各種レジスタ、各種フラグ等を備え、演算制御を行う他に遊技の制御に使用する乱数の生成を行う共に、前記受信データの判断手段として機能する。）９１、前記表示制御用ＣＰＵ９１からの指令に基づいて画像データＲＯＭ９６から必要な画像データ等を読み出し、前記特別図柄や背景等のマップデータを生成するＶＤＰ９４、該ＶＤＰ９４で生成したデータを格納するＶＲＡＭ９５及び初期リセット回路９８からなる。前記表示制御回路９０のＶＤＰ９４からのＲＧＢ制御データは、前記特別図柄表示部４２や普通図柄表示部４５等へ送信（出力）され、前記特別図柄表示部４２や普通図柄表示部４５では画像や特別図柄あるいは普通図柄の変動及び停止表示を行う。
【００３６】
前記発光体制御回路８８は発光体制御手段に相当し、前記ランプ表示器３５（枠飾り上ランプ３５ａ、枠飾り右ランプ３５ｂ、枠飾り左ランプ３５ｃ）が接続され、前記発光体制御回路８８によって前記ランプ表示器３５の発光が制御される。また、前記払出制御回路１１０では、遊技媒体払出装置（図示せず）による遊技媒体（賞品球や貸球）の払い出しを制御する。
【００３７】
前記音声制御回路１２０は、音声制御手段に相当し、音声発生手段としてのスピーカ３８が接続され、前記主制御回路７０及び表示制御回路９０から受信した音声制御信号（コマンド）に基づいて前記スピーカ３８からの音声発生を制御する。
【００３８】
また、前記主制御回路７０のインターフェィス８０には、特別図柄変動開始スイッチ、普通図柄変動開始スイッチ、特定入賞球検出スイッチ、入賞球数カウントスイッチ、その他の入賞口用検出スイッチ等が接続され、各検出スィッチ等から出力される検出信号が前記インターフェイス８０を介してワンチップマイクロコンピュータ７１に送信されるようになっている。
【００３９】
その他、前記主制御回路７０には、電源回路８７と、前記発射装置６４による遊技球の発射を制御するための発射制御回路１００が接続されている。
【００４０】
前記主制御回路７０に設けられる複数のカウンタ（乱数）として、この実施例では表１に示す８種類がある。なお、カウンタは、表１のものに限定されることなく、適宜のカウンタを設けてもよい。表１のカウンタの内容について次に示す。
【００４１】
【表１】
2004202083.tif 000003
【００４２】
ラベル−ＴＲＮＤ−Ａは、遊技者にとって有利な遊技である特別遊技（大当たり遊技）への移行となる大当たりを判定する大当たり判定手段に用いられる。このラベル−ＴＲＮＤ−Ａの数値Ｑ１は、遊技機１の電源投入時、‘０’から始まり、所定時間（この例では２ｍｓｅｃ）ごとに１ずつ加算され、数値が‘６２９’に至ると、次に‘０’に書き換えられて前記加算を繰り返すようになっている。前記ラベル−ＴＲＮＤ−Ａの数値Ｑ１は、遊技球が前記始動口（始動入球可能領域）１０に入球（入賞）して前記特別図柄変動開始スイッチによって検出された時に取得され、予め決定されている大当たり数値、この実施例では通常確率状態時（低確率状態時）には‘５’，‘５００’と対比され、高確率状態時（確率変動状態時）には‘５’，‘５０’，‘１００’，‘２００’，‘３００’，‘３５０’，４００’，‘４５０’，‘５００’，‘６００’と対比されて大当たりか否か判断される。
【００４３】
ラベル−ＴＲＮＤ−Ｒ１は、前記ラベル−ＴＲＮＤ−Ａによる大当たり判定結果が外れとなる場合において、リーチ状態を経るリーチ変動となるか否かを決めるリーチ変動有無決定用のものである。前記リーチ変動とは、前記特別図柄表示部４２で特別図柄が変動表示開始された後、確定停止表示される前段階において、特定の図柄態様、つまり大当たりの組合せが表示されやすい可変表示態様になったと遊技者に思わせるリーチ状態を経る変動方法をいう。前記リーチ状態の１つとして、前記特別図柄表示部４２の各表示領域の内、最終停止図柄を表示する表示領域だけを残して、残りの２つの表示領域で特別図柄が特定の組合せ（例えば同一図柄）となるように停止表示する場合を挙げることができる。この例では、前記特別図柄表示部４２で特別図柄が変動表示開始した後、確定停止表示される前段階において、中央表示領域だけを残して、残りの２つの表示領域で図柄が特定の組合せ（例えば同一図柄）となるように停止表示する場合がリーチ状態として設定されている。
【００４４】
前記ラベル−ＴＲＮＤ−Ｒ１は、遊技機１の電源投入時、‘０’から始まり、所定時間（２ｍｓｅｃ）ごとに１ずつ加算され、数値が‘４９’に至ると、次に‘０’に書き換えられて前記加算を繰り返すようになっている。当該ラベル−ＴＲＮＤ−Ｒ１の数値Ｑ２は、前記始動口（始動入球可能領域）１０への入球（入賞）が前記特別図柄変動開始スイッチによって検出された時に取得され、大当たり判定結果が外れの場合に、その数値が予め決定されているリーチ成立数値と対比されてリーチ変動有無が判断される。なお、この実施例では、前記ラベル−ＴＲＮＤ−Ａによる大当たり判定結果が大当たりとなる場合には、必ずリーチ状態が成立するようになっているので、このラベル−ＴＲＮＤ−Ｒ１は使用されない。
【００４５】
ラベル−ＴＲＮＤ−Ｔ１は、前記特別図柄表示部４２で特別図柄がリーチ表示される場合の変動態様（リーチ種類）を決定するのに使用される。前記ラベル−ＴＲＮＤ−Ｔ１の数値Ｑ３は、遊技機１の電源投入時、‘０’から始まり、所定時間（２ｍｓｅｃ）ごとに１ずつ加算され、数値が‘３５’に至ると、次に‘０’に書き換えられて再び前記加算を繰り返すようになっている。前記ラベル−ＴＲＮＤ−Ｔ１の数値は、前記始動口１０への入球（入賞）が前記特別図柄変動開始スイッチによって検出された時に取得される。
【００４６】
ラベル−ＴＲＮＤ−ＡＺ１は、大当たり成立時、前記特別図柄表示部４２の左側表示領域、中央表示領域、右側表示領域に確定停止して揃う確定大当たり停止図柄組合せ（大当たり表示態様）を決定するものである。このラベル−ＴＲＮＤ−ＡＺ１の数値Ｑ４は、電源投入時に‘０’から始まって所定時間（２ｍｓｅｃ）ごとに‘１’ずつ加算され、‘１１’に至ると、次に‘０’に書き換えられて前記加算を繰り返すようになっている。ラベル−ＴＲＮＤ−ＡＺ１の数値は、前記始動口１０への入球（入賞）が前記特別図柄変動開始スイッチによって検出された時に取得される。前記ラベル−ＴＲＮＤ−ＡＺ１の数値には、各数値に対応する大当たり停止図柄組合せが予め割り当てられている。実施例においては、前記ラベル−ＴＲＮＤ−ＡＺ１の数値が‘０’の場合には‘０，０，０’となる０のぞろ目、‘１’の場合には‘１，１，１’となる１のぞろ目、‘２’の場合には‘２，２，２’となる２のぞろ目、‘３’の場合には‘３，３，３’となる３のぞろ目というように、各数値のぞろ目が大当たり停止図柄組合せとなっている。
【００４７】
なお、この実施例の遊技機１は、異なる複数の遊技状態として通常遊技状態と特典遊技状態を備え、さらには前記特典遊技状態の一つとして高確率状態を備えた機種であり、大当たり成立時における大当たり停止図柄組合せが確変図柄である‘１’、‘３’、‘５’、‘７’、‘９’、‘１１’の何れかの奇数のぞろ目であるときには、特別遊技（大当たり）の発生に加えて、特別遊技（大当たり）終了後に、高確率状態の特典遊技状態が発生して確率変動を生じ、次回の大当たり発生確率が通常遊技状態における通常確率状態（低確率状態、１／３１５）よりも高い高確率状態（確率変動状態５／３１５）に移行し、次回の大当たりまで高確率状態が継続するようになっている。
【００４８】
さらに、この実施例において、前記高確率状態の特典遊技状態は、拡大時間延長状態を併有するものとされ、前記高確率状態への移行に加え、前記始動口１０の可動片１０ａ、１０ｂが拡開する入球可能領域拡大時間を、通常遊技状態における前記入球可能領域拡大時間よりも長くする、拡大時間延長状態への移行も併せて行われるようになっている。すなわち、この実施例では、前記高確率状態中に前記小当たり（普通図柄当たり）になると、前記始動口１０における２つの可動片１０ａ，１０ｂの拡大時間が１．７秒に設定され、通常遊技状態時に小当たりとなる場合の０．５秒よりも延長される。さらにこの実施例の拡大時間延長状態では、前記可動片１０ａ，１０ｂの拡大回数を、通常遊技状態における１回（０．５秒×１回）の拡大から、３回（１．７秒×３回）の拡大に増加させる拡大回数増加状態も発生する。
【００４９】
さらに、この実施例では、前記大当たり成立時における大当たり停止図柄組合せが確変図柄の場合に発生する特典遊技状態は、前記高確率状態と拡大時間延長状態の併有に加え、前記普通図柄（小当たり判定図柄）の変動時間を、通常遊技状態時における変動開始から変動停止までの変動時間よりも短くする変動時間短縮状態も併有している。すなわち、この実施例では、前記高確率状態中に前記普通図柄変動開始用左ゲート１９又は普通図柄変動開始用右ゲート２１に遊技球が通過することに起因して行われる前記普通図柄（小当たり判定図柄）の変動開始から変動停止までの変動時間が５秒に設定され、通常遊技状態時における普通図柄（小当たり判定図柄）の変動時間５０秒よりも短縮される。
【００５０】
それに対し、大当たり成立時における大当たり停止図柄組合せが通常図柄である‘０’、‘２’、‘４’、‘６’、‘８’、‘１０’の何れかの偶数のぞろ目であるときには、大当たり終了後発生する特典遊技状態として、前記高確率状態の特典遊技状態は発生しないが、特別図柄が１００回変動停止するまで、すなわち前記始動口１０へ１００回入球し前記特別図柄が１００回変動開始して停止するまで、前記高確率状態と同様に前記小当たりになると、前記始動口１０の可動片１０ａ，１０ｂが拡開する入球可能領域拡大時間を通常遊技状態の０．５秒から１．７秒に延長する拡大時間延長状態と、前記始動口１０の拡大回数を通常遊技状態の１回から３回に増加する拡大回数増加状態と、前記普通図柄の変動時間を通常遊技状態の５０秒から５秒に短くする変動時間短縮状態とが続く、通常確率状態の特典遊技状態とされている。
【００５１】
ラベル−ＴＲＮＤ−Ｂ１〜Ｂ３は、前記ラベル−ＴＲＮＤ−Ａによる大当たり判定結果が外れとなる場合において、前記特別図柄表示部４２に確定停止表示する外れ図柄組合せ（外れ表示態様）の決定に用いられるものである。前記ラベル−ＴＲＮＤ−Ｂ１の数値Ｑ５は左側表示領域の左特別図柄、ラベル−ＴＲＮＤ−Ｂ２の数値Ｑ６は右側表示領域の右特別図柄、ラベル−ＴＲＮＤ−Ｂ３の数値Ｑ７は中央表示領域（最終停止図柄表示領域）の中特別図柄（最終停止特別図柄）にそれぞれ対応する。
【００５２】
前記ラベル−ＴＲＮＤ−Ｂ１の数値は、電源投入時に‘０’から始まって所定時間（２ｍｓｅｃ）ごとに‘１’ずつ加算され、‘１１’に至ると、次に‘０’に書き換えられて再び前記加算が繰り返される。また、前記ラベル−ＴＲＮＤ−Ｂ２の数値は、電源投入時に‘０’から始まって、前記ラベル−ＴＲＮＤ−Ｂ１の数値が‘０’に書き換えられる際に‘１’ずつ加算され、‘１１’に至ると、次に‘０’に書き換えられて再び前記加算が繰り返される。さらに、前記ラベル−ＴＲＮＤ−Ｂ３は、電源投入時に‘０’から始まって、前記ラベル−ＴＲＮＤ−Ｂ２の数値が‘０’に書き換えられる際に‘１’ずつ加算され、‘１１’に至ると、次に‘０’に書き換えられて再び前記加算が繰り返される。これによって、ラベル−ＴＲＮＤ−Ｂ１〜Ｂ３の各数値範囲が同一であっても、当該ラベル−ＴＲＮＤ−Ｂ１〜Ｂ３の数値が同期（同一の組合せで加算）するのを避けることができる。
【００５３】
前記ラベル−ＴＲＮＤ−Ｂ１〜Ｂ３の各数値が‘０’の場合には０、‘１’の場合には１、‘２’の場合には２というように、前記ラベル−ＴＲＮＤ−Ｂ１〜Ｂ３の各数値が、遊技の外れ時に前記特別図柄表示部４２の左側表示領域、右側表示領域、中央表示領域に表示される確定停止表示図柄として設定されている。そして、前記特別図柄変動開始スイッチによって入球（入賞）が検出されるごとにラベル−ＴＲＮＤ−Ｂ１〜Ｂ３から取得される数値の組合せによって、外れ時に前記特別図柄表示部４２の左側表示領域、中央表示領域、右側表示領域に表示される確定停止図柄が定まる。
【００５４】
前記取得されたＱ１〜Ｑ７の乱数値については、それぞれ最大４個、前記主制御回路７０のＲＡＭ７３における該当領域に格納され、順次使用される。
【００５５】
ラベル−ＴＲＮＤ−Ｈは、前記普通図柄表示部４５に停止表示する普通図柄（小当たり判定図柄）を決定するとともに小当たり（普通図柄の当たり）を判定するもので、遊技機１の電源投入時、‘０’から始まって所定時間（２ｍｓｅｃ）ごとに‘１’ずつ加算され、‘９’に至ると、次に‘０’に書き換えられて再び前記加算が繰り返される。このラベル−ＴＲＮＤ−Ｈの数値Ｑ８は、前記普通図柄変動開始用左ゲート１９及び普通図柄変動開始用右ゲート２１を通過した遊技球を前記普通図柄変動開始スイッチで検出するごとに取得され、最大４個まで前記主制御回路７０のＲＡＭ７３の普通図柄数値記憶領域に格納される。
【００５６】
また、前記ラベル−ＴＲＮＤ−Ｈの数値Ｑ８には、各数値に対応する普通図柄（小当たり判定図柄）が予め割り当てられている。実施例においては、ラベル−ＴＲＮＤ−Ｈの取得乱数値が‘１’のときは普通図柄表示部４５に停止表示する普通図柄（小当たり判定図柄）が‘１’となる等、ラベル−ＴＲＮＤ−Ｈの取得乱数値がそのまま普通図柄表示部４５に停止表示する普通図柄（小当たり判定図柄）として割り当てられている。
【００５７】
なお、この実施例では、普通図柄の当たり確率は１／２となっており、具体的には、前記ラベル−ＴＲＮＤ−Ｈの取得乱数値Ｑ８が奇数である場合、小当たりを形成し、普通図柄も当たり図柄で停止させ、通常遊技状態時には０．５秒間の始動口１０の入球可能領域拡大を１回、特典遊技状態時には１．７秒間の始動口１０の入球可能領域拡大を３回行うようになっている。また、前記ラベル−ＴＲＮＤ−Ｈの取得乱数値Ｑ８がその他の場合には小当たりとならず、普通図柄も外れで停止して、前記始動口１０が前記入球可能領域狭小状態のままとされる。
【００５８】
また、前記主制御回路７０に設けられる主なフラグとして、この実施例では大当たり（特別遊技）フラグＡ１、リーチフラグＲ１、特別遊技実行中フラグＤ１、高確率状態の特典遊技フラグＫ、通常確率状態の特典遊技フラグＴ、小当たりフラグＨ１等が挙げられる。これらのフラグは、初期設定時には全て０にセットされる。通常遊技状態とは、この初期設定時のように、高確率状態ではなく、特別遊技状態でもなく、前記始動口１０は、拡大時間延長状態ではなく、普通図柄の変動時間も短い状態ではない（遊技者に有利ではない）遊技状態を指す。
【００５９】
ここで、前記遊技機１が行う遊技について説明する。前記遊技機１は、異なる複数の遊技状態として、遊技機１の電源投入時に発生する初期設定時のような通常遊技状態と、その後の大当たり時に前記特別図柄表示部４２で特別図柄（大当たり判定図柄）が奇数のぞろ目（確変図柄）で停止表示した場合に特別遊技終了後発生する高確率状態の特典遊技状態と、偶数のぞろ目（通常図柄）で停止表示した場合に特別遊技終了後発生する通常確率状態の特典遊技状態とを備える。
【００６０】
まず、前記遊技機１の電源が投入されて初期設定されると、通常遊技状態が設定される。そして、前記発射装置６４により遊技領域６へ向けて発射された遊技球が、前記種々の入賞口あるいは始動口１０に入賞（入球）すると所定数の遊技球が賞球として上側球受け皿３６に払い出される。
【００６１】
また、前記普通図柄変動開始用左ゲート１９及び普通図柄変動開始用右ゲート２１の何れかを遊技球が通過し、前記普通図柄変動開始スイッチで遊技球が検出されると、前記主制御回路７０へ入球信号が送られ、それに伴って、前記主制御回路７０のラベル−ＴＲＮＤ−Ｈの数値（Ｑ８）が取得され、その取得乱数値が主制御回路７０のＲＡＭ７３の普通図柄数値記憶領域に一旦格納される。そして、当該格納された数値に基づいて小当たり（普通図柄の当たり）の判定が行われ、その判定に基づき前記主制御回路７０から前記表示制御回路９０へ制御信号（コマンド）が送信（出力）される。さらに、前記送信された制御信号に基づいて前記普通図柄表示部４５で普通図柄が変動を開始し、５０秒間変動後、前記小当たり（普通図柄当たり）の場合には前記普通図柄表示部４５で普通図柄（小当たり判定図柄）が小当たり図柄で停止、この例では奇数で停止し、始動口１０の可動片１０ａ、１０ｂが０．５秒間１回拡開して、前記入球可能領域拡大状態になり、遊技球が入球し易くなる。そして、前記始動口１０に遊技球が入球すると、所定数の遊技球が賞球として払い出される。
【００６２】
また、前記始動口１０に遊技球が入球し、前記特別図柄変動開始スイッチによって入球遊技球（入賞球）が検出されると、前記主制御回路７０へ入球（入賞）信号が送られ、それに伴って、前記主制御回路７０のラベル−ＴＲＮＤ−Ａ，ラベル−ＴＲＮＤ−Ｒ１，ラベル−ＴＲＮＤ−Ｔ１，ラベル−ＴＲＮＤ−ＡＺ１，ラベル−ＴＲＮＤ−Ｂ１〜Ｂ３等の各種数値（Ｑ１〜Ｑ７等）が取得され、その取得乱数値が前記主制御回路７０におけるＲＡＭ７３の該当する記憶領域に一旦格納される。そして、当該格納された各数値に基づいて大当たりの判定、リーチ変動の有無決定、リーチ種類の決定、停止図柄組合せの決定等が行われ、前記特別図柄表示部４２で左特別図柄、中特別図柄、右特別図柄が上下方向に変動を開始する。また、前記特別図柄表示部４２には、前記変動態様の種類に応じた背景図柄も表示される。
【００６３】
前記特別図柄の変動開始から所定時間変動後、特別図柄が停止して、停止図柄が確定表示される。この例では、前記特別図柄表示部４２の左表示領域、中央表示領域、右表示領域で前記特別図柄が同時に変動を開始し、前記左表示領域、右表示領域、中央表示領域の順で特別図柄が変動停止して、停止図柄が確定表示される。その際、前記ラベル−ＴＲＮＤ−Ｒ１の取得乱数値によっては、前記リーチ変動が行われ、前記リーチ状態を経た後に前記特別図柄が最終停止して確定表示されることがある。
【００６４】
前記特別図柄表示部４２で停止表示された特別図柄が、前記ラベル−ＴＲＮＤ−ＡＺ１の取得乱数値に従う特定の組み合わせである大当たり停止図柄組合せ、この例ではぞろ目であると、大当たりになり、特別遊技状態に移行する。この初期設定時の通常遊技状態におけるおいて大当たりとなる確率は、通常確率状態（低確率状態）の１／３１５に設定されている。前記特別遊技状態になると、前記大入賞口１５の開閉板６１が開いて前記遊技領域６の表面を落下してくる遊技球を受け止め、前記大入賞口１５へ入賞（入球）可能にし、該大入賞口１５への入賞があると、賞球払出装置（図示せず）により所定数の遊技球が賞球として払い出される。前記開閉板６１は、所定時間（例えば２９．５秒）経過後、或いは前記入賞球数カウントスイッチで検出された入賞球数が所定個数（例えば１０個）となった時点で閉じるようにされている。なお、前記入賞球数カウントスイッチで検出された入賞球数は、前記特別図柄表示部４２に、０〜１０までの数字又は棒グラフのように表示されるようになっている。
【００６５】
また、前記大入賞口１５の開放中又は大入賞口１５が閉じてから約２秒以内に、前記特定領域入賞口への入賞球を特定入賞球検出スイッチが検出すると、前記大当たりを再度繰り返す継続権利が発生し、所定最高回数（例えば最高１５回又は１３回）、前記開閉板６１の開放を繰り返すようになっている。
【００６６】
前記大当たりの際に、前記大当たり停止図柄組合せが確変図柄である‘１’、‘３’、‘５’、‘７’、‘９’、‘１１’の何れかの奇数のぞろ目であるときには、大当たり終了後に、高確率状態の特典遊技状態が発生し、次回の大当たり発生時まで高確率状態の特典遊技状態が続く。
【００６７】
前記高確率状態の特典遊技状態では、次回の大当たり発生確率が通常遊技状態（低確率状態、１／３１５）よりも高い高確率状態（確変状態、５／３１５）に移行する。さらにこの実施例における高確率状態の特典遊技状態は、前記高確率状態に加えて前記拡大時間延長状態及び拡大回数増加状態及び変動時間短縮状態も組み合わされており、次回の大当たりまで前記高確率状態と共に小当たりになると前記始動口１０の可動片１０ａ，１０ｂの拡大時間延長状態（０．５秒→１．７秒）、拡大回数の増加（１回→３回）、及び普通図柄（小当たり判定図柄）の変動時間短縮（５０秒→５秒）の状態が次の大当たり発生時まで続く。
【００６８】
それに対し、前記大当たりの際に、前記大当たり停止図柄組合せが通常図柄である‘０’、‘２’、‘４’、‘６’、‘８’、‘１０’の何れかの偶数のぞろ目であるときには、大当たり（特別遊技）終了後、通常確率状態の特典遊技状態が発生し、前記特別図柄が１００回変動停止するまで、前記高確率状態の特典遊技時と同様に小当たりとなると前記始動口１０の可動片１０ａ，１０ｂの拡大時間延長状態（０．５秒→１．７秒）、拡大回数の増加（１回→３回）、及び普通図柄（小当たり判定図柄）の変動時間短縮（５０秒→５秒）の状態が続く。なお、前記通常確率状態の特典遊技状態中に前記確変図柄で大当たりが発生した場合には、特別遊技の終了後に前記高確率状態の特典遊技状態が次回の大当たり発生時まで続く。また、前記通常確率状態の特典遊技状態中に大当たりが発生しない場合には、前記初期設定時と同様の通常遊技状態に戻る。
【００６９】
次に、前記遊技を制御する主制御回路７０が実行する処理について詳述する。前記主制御回路７０のＣＰＵ７２は、所定の割り込み時間（この例では２ｍｓｅｃ）ごとに、前記主制御回路７０のＲＯＭ７４に記憶されている各プログラムに従いメイン処理Ｍを行う。図４はメイン処理Ｍのフローチャートである。
【００７０】
メイン処理Ｍでは、まず今回電源が投入されたか否か判断され（Ｓ１０）、今回電源投入された場合には、初期設定処理（Ｓ２０）が行われる。
初期設定処理（Ｓ２０）は、スタックの設定、割り込み時間（この例では２ｍｓｅｃ）の設定、ＣＰＵの設定、ＳＩＯ、ＰＩＯ、ＣＴＣ、前記通常遊技状態の設定が行われる。このメイン処理Ｍは割り込み時間ごとに繰り返し行われるが、初期設定処理（Ｓ２０）については、電源投入時のみに必要な処理であり、最初の１巡目のみに実行され、その後は実行されずに次の出力処理（Ｓ３０）に移る。
【００７１】
出力処理（Ｓ３０）では、前記主制御回路７０のＲＡＭ７３に設けられている出力バッファに出力用制御信号（コマンド）がある場合には制御信号（コマンド）を対応するサブ制御回路（表示制御回路９０、発光体制御回路８８、音声制御回路１２０等）へ出力（送信）する。前記制御信号（コマンド）を受信したサブ制御回路等では、受信した制御信号（コマンド）に応じた演出等が行われる。前記出力処理（Ｓ３０）で出力される制御信号（コマンド）としては、変動態様指定に関するコマンド、停止図柄指定に関するコマンド、遊技状態指定に関するコマンド等が挙げられる。
【００７２】
入力処理（Ｓ４０）では、各種の検出スイッチで検出された検出情報、各基板等からの情報等、入力に関係する処理がなされる。前記検出スイッチには、前記普通図柄変動開始用左ゲート１９及び普通図柄変動開始用右ゲート２１の遊技球通過を検出する普通図柄変動開始スイッチ、前記始動口１０に入球（入賞）した遊技球を検出する特別図柄変動開始スイッチ、前記大入賞口１５における入賞球を検出する入賞球数カウントスイッチ等を挙げることができる。
【００７３】
乱数更新処理（Ｓ５０）では、前記ラベル−ＴＲＮＤ−Ａ、ラベル−ＴＲＮＤ−Ｒ１、ラベル−ＴＲＮＤ−Ｔ１、ラベル−ＴＲＮＤ−ＡＺ１、ラベル−ＴＲＮＤ−Ｂ１〜Ｂ３、ラベル−ＴＲＮＤ−Ｈの各数値Ｑ１〜Ｑ８に対して更新が繰り返される。この乱数更新処理（Ｓ５０）は、前記メイン処理Ｍの実行時間毎に必ず１回行われる。
【００７４】
図５は、前記乱数更新処理（Ｓ５０）のフローチャートである。この乱数更新処理（Ｓ５０）では、まず、各カウンタ（ラベル−ＴＲＮＤ−Ｂ２及びラベル−ＴＲＮＤ−Ｂ３を除く。）の各数値Ｑｎ（ｎ＝１〜５，８）が前記所定時間（２ｍｓｅｃ）ごとに１ずつ加算され（Ｓ５１）、前記各数値Ｑｎが前記所定最大値Ｘに至ると、次に再び‘０’に戻る繰り返しを行う（Ｓ５２，Ｓ５３）。そして、各カウンタの更新数値が主制御回路７０のＲＡＭ７３の各カウンタと対応する乱数記憶エリアにそれぞれ一旦記憶される（Ｓ５４）。なお、図５中における『Ｑｎ’』は、加算される前の各カウンタの数値を意味する。また、ラベル−ＴＲＮＤ−Ｂ２及びラベル−ＴＲＮＤ−Ｂ３については、前記したようにラベル−ＴＲＮＤ−Ｂ１と関連したタイミングで数値が加算され、前記ＲＡＭ７３の乱数記憶エリアにそれぞれ記憶されるようになっている。
【００７５】
次に、特別図柄乱数取得条件が成立しているか否か判断される（Ｓ６０）。この判断は、前記始動口１０への遊技球の入球（入賞）が前記特別図柄変動開始スイッチにより検出されたか否かにより行われる。入球（入賞）があり、特別図柄乱数取得条件が成立している場合には、続いて特別図柄関係乱数取得処理（Ｓ７０）が行われ、それに対して入球（入賞）が無かった場合、もしくは特別図柄に関する保留記憶数が４個以上の場合、すなわち特別図柄乱数取得条件が成立していない場合には、次の特別図柄関係乱数取得処理（Ｓ７０）をジャンプして大当たり判定条件成立の判断が行われる（Ｓ８０）。
【００７６】
特別図柄関係乱数取得処理（Ｓ７０）では、前記主制御回路７０のＲＡＭ７３に記憶されている特別図柄に関係する前記各種更新乱数値Ｑ１〜Ｑ７が読み出されて取得され、前記主制御回路７０のＲＡＭ７３の該当領域に記憶される。
【００７７】
大当たり判定条件成立の判断（Ｓ８０）において、大当たり判定条件が成立（本発明の判定条件成立に相当する）しているとは、この実施例では、現在特別遊技実行中ではない、或いは特別図柄変動中ではなく、しかも特別図柄に関する保留記憶（大当たり判定用乱数の保留記憶）があることをいう。そして、前記大当たり判定条件成立と判断された場合には、大当たり判定処理（Ｓ９０）、リーチ有無決定処理（Ｓ１００）、確定停止特別図柄決定処理（Ｓ１１０）、変動態様決定処理（Ｓ１３０）等が実行される。一方、前記Ｓ８０で大当たり判定条件不成立と判断された場合には、特別図柄停止及び遊技状態処理（Ｓ１５０）へジャンプする。
【００７８】
大当たり判定処理（Ｓ９０）では、図６に示すように、まず、高確率状態の特典遊技フラグＫが１か否か確認され（Ｓ９１）、該高確率状態の特典遊技フラグＫが１ではなく０の場合、すなわち通常遊技状態の通常確率状態時（低確率：１／３１５）では、前記ラベル−ＴＲＮＤ−Ａの取得乱数値Ｑ１が大当たり数値である‘５’，‘５００’と対比され（Ｓ９２）、前記取得乱数値Ｑ１が前記大当たり数値の何れかであれば大当たりとなり、大当たりフラグＡ１が１にセットされると共に、該大当たりフラグＡ１（＝１）が主制御回路７０のＲＡＭ７３内に格納される（Ｓ９３）。一方、前記高確率状態の特典遊技フラグＫが１の場合、すなわち高確率状態の特典遊技状態における高確率状態時（５／３１５）では、前記取得乱数値Ｑ１が大当たり数値である‘５’，‘５０’，‘１００’，‘２００’，‘３００’，‘３５０’，‘４００’，‘４５０’，‘５００’，‘６００’と対比され（Ｓ９４）、前記取得乱数値Ｑ１が前記大当たり数値の何れかと一致すれば大当たりとなり、大当たりフラグＡ１が１にセットされると共に、該大当たりフラグＡ１（＝１）が主制御回路７０のＲＡＭ７３内に記憶される（Ｓ９３）。なお、前記大当たり判定処理は、本発明の大当たり判定手段に相当する。
【００７９】
リーチ有無決定処理（Ｓ１００）では、前記特別図柄表示部４２でリーチ変動を行うか否かの決定がなされる。図７に示すように、このリーチ有無決定処理（Ｓ１００）では、大当たりフラグＡ１が１か否か確認され（Ｓ１０１）、大当たりフラグＡ１が１ではなく０、つまり大当たり不成立となる場合、前記ラベル−ＴＲＮＤ−Ｒ１の記憶取得乱数値Ｑ２が読み出され、その取得乱数値Ｑ２が‘２４’又は‘４９’であるか否か判断される（Ｓ１０２）。そして、前記取得乱数値Ｑ２が‘２４’又は‘４９’ではない場合、リーチなしに決まり、このリーチ有無決定処理（Ｓ１００）は終了する。一方、前記取得乱数値Ｑ２が‘２４’又は‘４９’である場合（Ｓ１０２）、リーチ有りに決定され、リーチフラグＲ１が１にセットされると共に、該リーチフラグＲ１（＝１）が主制御回路７０のＲＡＭ７３内に格納される（Ｓ１０３）。また、前記Ｓ１０１で大当たりフラグＡ１が１の場合、つまり大当たり（特別遊技実行可）となる場合、リーチ有りと決定され、リーチフラグＲ１が１にセットされると共に、該リーチフラグＲ１（＝１）が主制御回路７０のＲＡＭ７３内に格納される（Ｓ１０３）。
【００８０】
確定停止特別図柄決定処理（Ｓ１１０）では、前記大当たり判定処理（Ｓ９０）に基づき前記特別図柄表示部４２に確定（最終）停止表示する特別図柄の決定が行われる。図８に示すように、この確定停止特別図柄決定処理（Ｓ１１０）では、まず、前記大当たりフラグＡ１の値が１か否か確認される（Ｓ１１１）。Ａ１の値が１と判断された場合、すなわち大当たり（特別遊技実行可）となる場合、前記ラベル−ＴＲＮＤ−ＡＺ１の記憶取得乱数値Ｑ４が読み出され、その取得乱数値Ｑ４に対して予め決められている特別図柄の組合せが、前記特別図柄表示部４２に確定停止表示される確定大当たり図柄組合せとして決定される（Ｓ１１２）。
【００８１】
それに対して、前記Ｓ１１１で大当たりフラグＡ１の値が１でない、すなわち前記値が０と確認され、外れと判定された場合には、前記ラベル−ＴＲＮＤ−Ｂ１〜Ｂ３の記憶取得乱数値Ｑ５〜Ｑ７が読み出され、その取得乱数値Ｑ５〜Ｑ７が一致するか否か判断され（Ｓ１１３）、取得乱数値Ｑ５〜Ｑ７が一致する場合、続いてリーチ有り（リーチ外れ）か否か、ここでは前記リーチフラグＲ１が１か否か確認される（Ｓ１１４）。そして、リーチなしと判断された場合、前記ラベル−ＴＲＮＤ−Ｂ２（右特別図柄用）の取得乱数値Ｑ６を１加算し、その値とラベル−ＴＲＮＤ−Ｂ１，Ｂ３の取得乱数値Ｑ５，Ｑ７に対して予め決められている図柄が、特別図柄表示部４２の左側表示領域、中央表示領域、右側表示領域に確定停止表示される外れ図柄として決定される（Ｓ１１５）。一方、前記Ｓ１１４で、リーチ有りと判断された場合、前記ラベル−ＴＲＮＤ−Ｂ３（中特別図柄用）の取得乱数値Ｑ７を１加算し、その値とラベル−ＴＲＮＤ−Ｂ１，Ｂ２の取得乱数値Ｑ５，Ｑ６に対して予め決められている図柄が各表示領域に確定停止表示される外れ図柄として決定される（Ｓ１１６）。
【００８２】
また、前記Ｓ１１３で、ラベル−ＴＲＮＤ−Ｂ１〜Ｂ３の取得乱数値Ｑ５〜Ｑ７の内、少なくとも１つが異なる数値となる場合には、ラベル−ＴＲＮＤ−Ｂ１の取得乱数値Ｑ５とラベル−ＴＲＮＤ−Ｂ２の取得乱数値Ｑ６が一致するか否か判断され（Ｓ１１７）、両値が一致する場合、さらにリーチ有り（リーチフラグＲ１＝１）か否か判断される（Ｓ１１８）。そして、リーチなしの場合、前記ラベル−ＴＲＮＤ−Ｂ２の取得乱数値Ｑ６を１加算し、その値とラベル−ＴＲＮＤ−Ｂ１，Ｂ３の取得乱数値Ｑ５，Ｑ７に対して予め決められている図柄が各表示領域に確定停止表示される外れ図柄として決定される（Ｓ１１５）。一方、リーチ有りの場合、ラベル−ＴＲＮＤ−Ｂ１〜Ｂ３の取得乱数値Ｑ５〜Ｑ７に対して予め決められている図柄が各表示領域に確定停止表示される外れ図柄として決定される（Ｓ１１９）。
【００８３】
さらに、前記Ｓ１１７でラベル−ＴＲＮＤ−Ｂ１の取得乱数値Ｑ５とラベル−ＴＲＮＤ−Ｂ２の取得乱数値Ｑ６が一致しない場合、続いてリーチ有り（リーチフラグＲ１＝１）か否か判断される（Ｓ１２０）。そして、リーチ有りと判断された場合には、ラベル−ＴＲＮＤ−Ｂ２の取得乱数値Ｑ６を強制的にラベル−ＴＲＮＤ−Ｂ１の取得乱数値Ｑ５と同一数値に変更し、かつラベル−ＴＲＮＤ−Ｂ３の取得乱数値Ｑ７を強制的に前記ラベル−ＴＲＮＤ−Ｂ１の取得乱数値Ｑ５に１加算した数値に変更し、それらの数値とラベル−ＴＲＮＤ−Ｂ１の取得乱数値Ｑ５に対して予め決められている図柄が各表示領域に確定停止表示される外れ図柄として決定される（Ｓ１２１）。一方、前記Ｓ１２０で、リーチなしと判断された場合、ラベル−ＴＲＮＤ−Ｂ１〜Ｂ３の取得乱数値Ｑ５〜Ｑ７に対して予め決められている図柄が各表示領域に確定停止表示される外れ図柄として決定される（Ｓ１１９）。その後、前記決定された確定停止特別図柄に対する停止図柄指定制御信号（コマンド）が、前記主制御回路７０のＲＡＭ７３に格納される（Ｓ１２２）。なお、前記前記主制御回路７０のＲＡＭ７３に格納された停止図柄指定制御信号（コマンド）は前記出力処理（Ｓ３０）で表示制御回路９０へ出力（送信）される。
【００８４】
変動態様決定処理（Ｓ１３０）では、前記特別図柄表示部４２における特別図柄及び背景図柄の変動態様が決定される。この変動態様決定処理（Ｓ１３０）では、図９に示すように、まず、大当たりフラグＡ１が１か否かが判断される（Ｓ１３１）。Ｓ１３１において、大当たりフラグＡ１が１ではなく０の場合、つまり大当たり不成立となる場合には、次にリーチフラグＲ１が１か否かが確認される（Ｓ１３２）。Ｓ１３２において、前記リーチフラグＲ１が１ではなく０の場合、つまりリーチ不成立となる場合にはリーチ無しの変動態様１に決定され（Ｓ１３７）、その後決定変動態様が主制御回路７０のＲＡＭ７３における出力バッファに格納され（Ｓ１４５）、この変動態様決定処理（Ｓ１３０）が終了する。
【００８５】
それに対し、前記Ｓ１３２でリーチフラグＲ１が１の場合、つまりリーチ成立となる場合には、次にリーチ種類決定用カウンタであるラベル−ＴＲＮＤ−Ｔ１の取得乱数値Ｑ３が、‘０’〜‘２０’，‘２１’〜‘３０’，‘３１’〜‘３５’の何れの範囲に属するかが判断される（Ｓ１３３，Ｓ１３４）。前記取得乱数値Ｑ３が‘０’〜‘２０’の範囲に属する場合は、リーチＡ１有り外れ変動態様２に決定される（Ｓ１３８）。また、前記取得乱数値Ｑ３が‘２１’〜‘３０’の範囲に属する場合は、リーチＢ１有り外れ変動態様３に決定される（Ｓ１３９）。さらに、前記取得乱数値Ｑ３が‘３１’〜‘３５’の範囲に属する場合は、リーチＣ１有り外れ変動態様４に決定される（Ｓ１４０）。このように変動態様２〜４の何れかに決定された場合、その後、前記リーチフラグＲ１が０にセットされ（Ｓ１４４）、前記決定変動態様が主制御回路７０のＲＡＭ７３における出力バッファに格納され（Ｓ１４５）、この変動態様決定処理（Ｓ１３０）が終了する。
【００８６】
一方、前記Ｓ１３１において、前記大当たりフラグＡ１が１の場合、すなわち大当たりの場合には、次にリーチ種類決定用カウンタであるラベル−ＴＲＮＤ−Ｔ１の取得乱数値Ｑ３が、‘０’〜‘２’，‘３’〜‘１５’，‘１６’〜‘３５’の何れの範囲に属するかが判断される（Ｓ１３５，Ｓ１３６）。前記取得乱数値Ｑ３が‘０’〜‘２’の範囲に属する場合には、リーチＡ２有り大当たり変動態様５に決定される（Ｓ１４１）。また、前記取得乱数値Ｑ３が‘３’〜‘１５’の範囲に属する場合は、リーチＢ２有り大当たり変動態様６に決定される（Ｓ１４２）。また、前記取得乱数値Ｑ３が‘１６’〜‘３５’の範囲に属する場合は、リーチＣ２有り大当たり変動態様７に決定される（Ｓ１４３）。このように変動態様５〜７の何れかに決定された場合、その後、前記リーチフラグＲ１が０にセットされ（Ｓ１４４）、前記決定変動態様が主制御回路７０のＲＡＭ７３における出力バッファに格納され（Ｓ１４５）、この変動態様決定処理（Ｓ１３０）が終了する。
【００８７】
特別図柄停止及び遊技状態処理（Ｓ１５０）では、図１０に示すように、まず特別図柄の変動時間が終了したか否か判断され（Ｓ１５１）、終了していれば特別図柄停止制御信号（コマンド）が前記主制御回路７０の出力バッファに格納される（Ｓ１５２）。続いて、前記高確率状態への確変が無く前記始動口１０の拡大時間の延長を行う、通常確率状態の特典遊技状態か否か（この例では前記通常確率状態の特典遊技フラグＴ＝１か否か）が判断される（Ｓ１５３）。すなわち、前記大当たりの際に通常特別図柄で停止表示されたか否か判断される。そして、高確率状態の伴わない通常確率状態の特典遊技状態の場合には、現在の通常確率状態の特典遊技回数Ｙ’の値から１減算して更新通常確率状態の特典遊技回数Ｙとする（Ｓ１５４）。次いで、前記減算後の更新通常確率状態の特典遊技回数の値Ｙが‘０’か否か判断され（Ｓ１５５）、‘０’の場合、前記通常確率状態の特典遊技フラグＴの値を０にセットして前記主制御回路７０のＲＡＭ７３に記憶すると共に、通常確率状態の特典遊技終了制御信号（コマンド）を前記主制御回路７０の出力バッファに格納し（Ｓ１５７）、この特別図柄停止及び遊技状態処理（Ｓ１５０）を終了する。前記通常確率状態の特典遊技終了制御信号（コマンド）は、前記発光体制御回路８８及び表示制御回路９０へ、次回のメイン処理Ｍにおける前記出力処理（Ｓ３０）で出力（送信）される。前記通常確率状態の特典遊技終了制御信号（コマンド）を受信した発光体制御回路８８では、それまで点灯していた前記枠飾り上ランプ３５ａ、右ランプ３５ｂ、左ランプ３５ｃを消灯し、遊技者に通常確率状態の特典遊技状態が終了したのを認識させる。また、前記通常確率状態の特典遊技終了制御信号（コマンド）を受信した表示制御回路９０では、前記普通図柄表示部４５における普通図柄の変動時間を通常遊技状態の変動時間に戻す。なお、このフローチャートから解るように、通常確率状態の特典遊技回数Ｙは、特別図柄の変動停止毎に変化していく。
【００８８】
なお、前記Ｓ１５１で特別図柄の変動時間が終了していないと判断された場合や、前記Ｓ１５３で通常確率状態の特典遊技状態ではないと判断された場合、あるいは前記Ｓ１５５で通常確率状態の特典遊技回数Ｙの値が‘０’ではないと判断された場合には、いずれもその時点でこの特別図柄停止及び遊技状態処理（Ｓ１５０）は終了する。
【００８９】
特別遊技実行及び遊技状態変更処理（Ｓ１６０）では、図１１に示すように、まず、現在の状態が特別遊技実行中か否か（特別遊技実行中フラグＤ１＝１か否か）判断され、特別遊技実行中ではない（Ｄ１＝０）場合、前記大当たり判定処理（Ｓ９０）で大当たりになったか否か（大当たりフラグＡ１＝１か否か）確認される（Ｓ１６２）。大当たり（Ａ１＝１）の場合、特別遊技状態移行制御信号（コマンド）が前記主制御回路７０の出力バッファに格納され（Ｓ１６３）、さらに特別遊技実行中フラグＤ１が１にセットされて前記主制御回路７０のＲＡＭ７３に記憶される（Ｓ１６４）と共に、大当たりフラグＡ１が０にセットされて前記主制御回路７０のＲＡＭ７３に記憶され（Ｓ１６５）、特別遊技実行が行われる（Ｓ１６６）。前記特別遊技実行においては、前記のように大入賞口１５の開閉板６１が所要回数開放し遊技球が大入賞口１５に入り易くする特別遊技が行われる。前記特別遊技実行（Ｓ１６６）に続いて特別遊技終了条件が成立しているか否か判断される（Ｓ１６７）。この特別遊技終了条件成立判断は、前記大入賞口１５における開閉板６１の開放から所定時間（例えば２９．５秒）経過した場合、あるいは前記入賞球数カウントスイッチで検出された入賞球数が所定個数（例えば１０個）となった場合に特定領域入賞口への入賞を検出できなかったか、または前記特定領域入賞口６３への入賞球を特定入賞球検出スイッチが検出するごとに発生する継続権利に基づく設定回数に前記開閉板６１の開放回数が到達したかが判断される。そして特別遊技終了条件が成立している場合には、特別遊技状態終了制御信号（コマンド）が主制御回路７０の出力バッファに格納される（Ｓ１６８）。
【００９０】
次に、図１２に示すように、今回の大当たり図柄が確変図柄（この実施例では奇数のぞろ目）であったか否か判断され（Ｓ１６９）、確変図柄であった場合には、高確率状態の特典遊技フラグＫが１にセットされる（Ｓ１７０）と共に通常確率状態の特典遊技フラグＴが０にセットされ（Ｓ１７１）、高確率状態の特典遊技移行制御信号（コマンド）が前記主制御回路７０の出力バッファに格納された（Ｓ１７２）後、特別遊技実行中フラグＤ１が０にセットされ、前記主制御回路７０のＲＡＭ７３に記憶される（Ｓ１７７）。
【００９１】
それに対して、前記Ｓ１６９で今回の大当たり図柄が確変図柄ではない、すなわち通常図柄（この実施例では偶数のぞろ目）であると判断されると、高確率状態の特典遊技フラグＫが０にセットされる（Ｓ１７３）と共に通常確率状態の特典遊技フラグＴが１にセットされ（Ｓ１７４）、通常確率状態の特典遊技移行制御信号（コマンド）が主制御回路７０の出力バッファに格納された（Ｓ１７５）後、通常確率状態の特典遊技回数Ｙの値が１００にセットされ（Ｓ１７６）、特別遊技実行中フラグＤ１が０にセットされる（Ｓ１７７）。
【００９２】
他方、前記Ｓ１６１で特別遊技実行中と判断された場合には、前記特別遊技実行（Ｓ１６６）へジャンプし、続いて前記特別遊技終了条件成立判断（Ｓ１６７）が行われ、以下前記と同様の処理（Ｓ１６８〜Ｓ１７７）が行われる。なお、前記出力バッファに格納された特別遊技状態終了制御信号（コマンド）、高確率状態の特典遊技移行制御信号（コマンド）、通常確率状態の特典遊技移行制御信号（コマンド）は、次回のメイン処理Ｍにおける前記出力処理（Ｓ３０）で表示制御回路９０、発光体制御回路８８、音声制御回路１２０等、対応する制御回路や装置へ送信（出力）される。
【００９３】
また、前記Ｓ１６２で大当たりではない、すなわち外れであると判断されたり、Ｓ１６７で特別遊技条件が成立していいないと判断されたりすると、その時点でこの特別遊技実行及び遊技状態変更処理（Ｓ１６０）が終了する。
【００９４】
次に普通図柄乱数取得条件成立か否か判断される（Ｓ１８０）。普通面乱数取得条件成立とは、前記普通図柄変動開始用左ゲート１９又は普通図柄変動開始用右ゲート２１を遊技球が通過し、その通過遊技球が前記普通図柄変動開始スイッチで検出されたことをいう。前記普通図柄乱数取得条件成立の場合には、次に普通図柄関係乱数取得処理（Ｓ１９０）が行われ、続いて小当たり判定条件成立判断（Ｓ２００）が行われるのに対し、前記普通図柄乱数取得条件不成立の場合には、普通図柄関係乱数取得処理（Ｓ１９０）を飛び越して小当たり判定条件成立判断（Ｓ２００）へジャンプする。
【００９５】
普通図柄関係乱数取得処理（Ｓ１９０）では、前記主制御回路７０のＲＡＭ７３に記憶されている普通図柄に関係する前記更新乱数値Ｑ８が読み出されて取得され、前記主制御回路７０のＲＡＭ７３の該当領域に記憶される。
【００９６】
小当たり判定条件成立判断（Ｓ２００）において、小当たり判定条件が成立しているとは、現在前記始動口１０の拡大（開放）が行われてなく、しかも普通図柄の変動中ではないことをいう。そして、前記小当たり判定条件成立と判断された場合には、小当たり判定処理（Ｓ２１０）、普通図柄変動時間決定処理（Ｓ２２０）、普通図柄停止処理（Ｓ２３０）、始動口拡大処理（Ｓ２４０）等が実行される。一方、前記Ｓ２００で小当たり判定条件不成立と判断された場合には、始動口拡大処理（Ｓ２４０）へジャンプする。
【００９７】
小当たり判定処理（Ｓ２１０）では、図１３に示すように、前記普通図柄関係乱数取得処理（Ｓ２１０）で取得され、前記主制御回路７０のＲＡＭ７３に記憶された取得乱数値Ｑ８が読み出され、小当たり数値である‘１’，‘３’，‘５’，‘７’，‘９’と対比され（Ｓ２１１）、前記取得乱数値Ｑ８が前記小当たり数値の何れかと一致すれば小当たりとなり、小当たりフラグＨ１が１にセットされると共に、該小当たりフラグＨ１（＝１）が主制御回路７０のＲＡＭ７３内に記憶される（Ｓ２１２）。前記小当たり判定処理（Ｓ２１０）は、本発明の小当たり判定手段に相当する。
【００９８】
普通図柄変動時間決定処理（Ｓ２２０）では、図１４に示すように、高確率状態の特典遊技状態（高確率状態の特典遊技フラグＫ＝１）又は通常確率状態の特典遊技状態（通常確率状態の特典遊技フラグＴ＝１）の何れか、あるいは何れでもないかが判断され（Ｓ２２１）、高確率状態の特典遊技状態（Ｋ＝１）又は通常確率状態の特典遊技状態（Ｔ＝１）の場合には、前記普通図柄の変動開始から変動停止までの変動時間が５秒に短縮されて設定され（Ｓ２２２）、それに対して高確率状態の特典遊技状態（Ｋ＝１）又は通常確率状態の特典遊技状態（Ｔ＝１）の何れでもない場合には、前記普通図柄の変動時間が通常遊技状態の５０秒に設定される（Ｓ２２３）。前記変動時間設定後に設定変動時間が主制御回路７０の出力バッファに格納される（Ｓ２２４）。
【００９９】
普通図柄停止処理（Ｓ２３０）では、図１５に示すように、前記普通図柄表示部４５における普通図柄の変動時間が終了したか否か判断され（Ｓ２３１）、変動時間が終了していれば普通図柄停止制御信号（コマンド）が主制御回路７０の出力バッファに格納され（Ｓ２３２）、変動時間が終了していなければ、普通図柄停止制御信号（コマンド）を格納することなくこの普通図柄停止処理（Ｓ２３０）が終了する。
【０１００】
始動口拡大処理（Ｓ２４０）では、図１６に示すように、まず、前記出力処理（Ｓ３０）で普通図柄停止制御信号（コマンド）が出力済みか否か判断され（Ｓ２４１）、出力済みの場合には、前記小当たり判定処理（Ｓ２１０）で小当たりと判断されたか否か（小当たりフラグＨ１＝１か否か）確認される（Ｓ２４２）。小当たりの場合にはさらに高確率状態の特典遊技状態（高確率状態の特典遊技フラグＫ＝１）又は通常確率状態の特典遊技状態（通常確率状態の特典遊技フラグＴ＝１）の何れか、あるいは何れでもないかが判断される（Ｓ２４３）。高確率状態の特典遊技状態（高確率状態の特典遊技フラグＫ＝１）又は通常確率状態の特典遊技状態（通常確率状態の特典遊技フラグＴ＝１）の何れかの場合には、前記始動口１０における前記始動口用ソレノイド（本発明における拡大手段に相当する）による可動片１０ａ，１０ｂの拡開（入球領域拡大）として、１．７秒間拡大を３回繰り返す（１．７秒×３回）拡大時間延長状態に設定され（Ｓ２４４）、それに対して高確率状態の特典遊技状態（Ｋ＝１）又は通常確率状態の特典遊技状態（Ｔ＝１）の何れでもない場合には、前記始動口１０における可動片１０ａ，１０ｂの拡開（入球領域拡大）として、高確率状態の特典遊技中や通常確率状態の特典遊技中の拡開時間より短く、拡開回数も少ない、０．５秒間拡大を１回行う（０．５秒×１回）通常拡大時間状態に設定される（Ｓ２４５）。その後、前記始動口１０の入球領域拡大（拡大時間及び拡大回数）の設定が主制御回路７０の出力バッファに格納され（Ｓ２４６）、小当たりフラグＨ１が０にセットされ、前記主制御回路７０のＲＡＭ７３に記憶される（Ｓ２４７）。
【０１０１】
それに対し、前記普通図柄停止制御信号（コマンド）が出力されていないと判断された（Ｓ２４１）場合、あるいは小当たりではない（小当たりフラグＨ１が０）と判断された（Ｓ２４２）場合には、その時点で直ちにこの始動口拡大処理（Ｓ２４０）が終了する。
【０１０２】
その他の処理（Ｓ２５０）では、メイン処理Ｍにおいてこの遊技機の制御に必要なその他の処理が行われるが、本発明とは直接関係しない処理であり、詳細な説明は省略する。
【０１０３】
前記メイン処理Ｍにおける出力処理（Ｓ３０）により制御信号（コマンド）が送信される表示制御回路９０では、図１７に示す表示制御処理Ｖが、所定時間毎に（この例ではリセット時間の２．０ｍｓｅｃ毎に）行われる。この表示制御処理Ｖでは、まず、今回電源が投入されたか否か判断され（Ｓ３１０）、今回電源が投入された場合には、表示制御に関する初期設定が行われ（Ｓ３２０）、この表示制御処理Ｖが二回目以降の場合には、前記初期設定処理（Ｓ３２０）は行われず次の出力処理へジャンプする。
【０１０４】
出力処理（Ｓ３３０）では、前記表示制御回路９０に設けられている出力バッファに前記表示装置９（特別図柄表示部４２及び普通図柄表示部４５）、発光体制御回路８８、音声制御回路１２０等に対する制御信号（コマンド）や制御データが存在する場合、対応する装置や制御回路等に制御信号（コマンド）や制御データが送信され、それぞれの制御が行われる。
【０１０５】
入力処理（Ｓ３４０）では、前記メイン処理Ｍにおける出力処理（Ｓ３０）で前記主制御回路７０から表示制御回路９０へ送信（出力）された制御信号（コマンド）を受信する。これらの受信コマンドは、前記表示制御回路９０の制御データＲＡＭ９３に書き換え可能に記憶される。
【０１０６】
次に特別遊技状態移行コマンドを受信したか否か判断され（Ｓ３５０）、特別遊技状態移行コマンドを受信している場合には大当たり時点の遊技状態表示処理（Ｓ３６０）が行われ、特別遊技状態移行コマンドを受信していない場合には大当たり時点の遊技状態表示処理（Ｓ３６０）は行われず、その他の処理（Ｓ３８０）へジャンプする。
【０１０７】
大当たり時点の遊技状態表示処理（Ｓ３６０）では、図１８に示すように、まず、今回の大当たりは、確変図柄（この実施例では前記特別図柄が奇数のぞろ目。）か否かが、前記確定停止特別図柄のコマンドから判断される（Ｓ３６１）。確変図柄である場合には、表示制御回路９０により現在記憶認識されている遊技状態（すなち現在実施されている遊技状態）が、高確率状態の特典遊技状態か否か（Ｓ３６２）、あるいは通常確率状態の特典遊技状態（高確率の伴わない拡大時間延長状態中）か否か、又はいずれの特典遊技状態でもない通常遊技状態か否か（Ｓ３６３）が順に判断される。そして、現在高確率状態の特典遊技状態中と判断されると前記特別図柄表示部４５に『確変中確変大当たり』と表示するように設定され（Ｓ３６４）、現在通常確率状態の特典遊技状態中であると判断されると前記特別図柄表示部４５に『時短中確変大当たり』と表示するように設定され（Ｓ３６５）、通常遊技状態中と判断されると前記特別図柄表示部４５に『通常中確変大当たり』と表示するように設定される（Ｓ３６６）。
【０１０８】
なお、前記Ｓ３６２，Ｓ３６３における現在の遊技状態の認識判断は、前記表示制御処理Ｖの前回の処理における入力処理（Ｓ３４０）によって受信した最新の前記高確率状態の特典遊技移行コマンドもしくは前記通常確率状態の特典遊技移行コマンド、通常確率状態の特典遊技終了コマンドを表示制御回路９０の制御データＲＡＭ９３に記憶しておき、その最新の遊技状態を示す記憶データにより行われる。すなわち、高確率状態の特典遊技移行コマンドを受信した場合には、現在高確率状態の特典遊技状態中と認識し、また、通常確率状態の特典遊技移行コマンドを受信した場合には現在通常確率状態の特典遊技状態中と認識し、また通常確率状態の特典遊技終了コマンドを受信した場合には現在通常遊技状態中と認識判断することにより行われる。
【０１０９】
それに対し、前記Ｓ３６１で今回の大当たりが確変図柄ではない、すなわち通常図柄（この実施例では前記特別図柄が偶数のぞろ目。）であると判断された場合には、表示制御回路９０により現在認識されている遊技状態（すなち現在実施されている遊技状態）が、高確率状態の特典遊技状態か否か（Ｓ３６７）、あるいは通常確率状態の特典遊技状態か否か、又はいずれの特典遊技状態でもない通常遊技状態か否か（Ｓ３６８）が、前記と同様にして順に判断される。そして、現在高確率状態の特典遊技状態中と判断されると前記特別図柄表示部４５に『確変中非確変大当たり』と表示するように設定され（Ｓ３６９）、現在通常確率状態の特典遊技状態中であると判断されると前記特別図柄表示部４５に『時短中非確変大当たり』と表示するように設定され（Ｓ３７０）、現在いずれの特典遊技状態でもなく通常遊技状態中と判断されると前記特別図柄表示部４５に『通常中非確変大当たり』と表示するように設定される（Ｓ３７１）。
【０１１０】
このように、前記大当たり時点の遊技状態表示処理（Ｓ３６０）では、何れの遊技状態で大当たりとなったかを前記特別図柄表示部４２に文字画像で表示し、遊技者に報知するための設定が行われる。また、前記実施例では、高確率状態の特典遊技状態の場合を『確変中』と表示し、高確率状態を伴わない通常確率状態の特典遊技状態の場合を『時短中』と表示しているが、遊技状態を遊技者が認識できる他の文字画像で表示してもよい。例えば前記『確変中』に代えて『高確率中』と表示したり、『時短中』に代えて『拡大時間延長中』と表示したりしてもよい。
【０１１１】
さらに、この実施例では、前記大当たり時点での遊技状態表示処理（Ｓ３６０）で設定された報知は、今回の大当たりに対する報知を含めて過去３回分、すなわち、今回、前回、前々回分が、前記表示制御回路９０の制御データＲＡＭ９３に記憶されており、前記特別図柄表示部４２に、今回の報知と同時に過去の報知内容も同時に表示されるようになっている。
【０１１２】
図１９は前記大当たり時に特別図柄表示部４２に表示される表示画面の一例である。図示の例では、右上部に今回の大当たり図柄『７７７』が表示され、下部に何れの遊技状態で大当たりになったかの報知が、今回、前回、前々回の分まで文字画像で表示されている。なお、左上部分の大当たりラウンド数は、前記特定領域入賞口６３へ入賞することにより発生する継続権利に基づく前記大入賞口１５の開放が何回目かを示すものである。
【０１１３】
前記表示制御処理Ｖにおけるその他の処理（Ｓ３８０）では、表示制御に必要なその他の処理が行われるが、本発明の内容とは直接関係ないところであり、説明を省略する。
【０１１４】
なお、本発明は、前記実施例に限定されるものではなく、発明の趣旨を逸脱しない範囲において構成の一部を適宜に変更して実施することができる。例えば、本実施例では大当たり中の画面に何れの遊技状態中に大当たりとなったかを報知しているが、それ以外の時点で報知してもよい。例えば、大当たり判定用図柄（特別図柄）の変動中や、遊技が行われていない客待ち中に行われてもよい。また、その他の時点でもよい。また、例えば、何れの遊技状態で大当たりになったかの報知を、文字画像に代えてあるいはそれと共にキャラクタ等の他の画像表示で行ったり、前記ランプ表示器３５の点灯や消灯により行ったり、スピーカ３８等を介する音声で行ったりしてもよい。また、本実施例では、特典遊技状態として、高確率状態と、始動口の入球領域の拡大時間延長状態と、普通図柄の変動時間の短縮状態と、始動口の入球領域の拡大回数の増加状態とを挙げたが、他の種類のものを特典遊技状態にしたり、加えたりしてもよい。さらに本実施例では、特典遊技状態が高確率状態の場合には、高確率状態、拡大時間延長、変動時間短縮及び拡大回数増加を併有したものとされ、また高確率を伴わない通常確率状態の特典遊技状態の場合には、拡大時間延長、変動時間短縮及び拡大回数増加を併有したものとされているが、それらの組み合わせを変更したり、組み合わせることなく単独で実施されるようにしてもよい。また、通常遊技状態は、初期設定時のように、高確率状態、拡大時間延長、変動時間短縮及び拡大回数増加がない状態としているが、初期設定時の状態が前記状態と異なる場合であっても、初期設定時の状態を通常の遊技状態としてもよい。
【０１１５】
さらに、本発明においては、大当たりによる特別遊技中に特別図柄を変動させて特別遊技中に大当たりを発生可能にしてもよい。
【０１１６】
【発明の効果】
以上図示し説明したように、請求項１の発明によれば、異なる複数の遊技状態の内、何れの遊技状態中に大当たりとなったのかを報知する報知手段を備えたため、遊技者は何れの遊技状態で大当たりになったのかが解り、遊技者に親切であるとともに、遊技に対する興味が向上する。
【０１１７】
請求項２の発明によれば、異なる複数の遊技状態には、通常遊技状態と、特別遊技終了後に発生する特典遊技状態を含むため、前記報知手段による報知により、特典遊技状態中に特別遊技（大当たり）が発生したのか、あるいは通常遊技状態中に特別遊技（大当たり）が発生したのかを、遊技者が容易に知ることができ、遊技者に親切であるとともに、遊技に対する興味が向上する。
【０１１８】
請求項３の発明によれば、特典遊技状態には、通常遊技状態よりも大当たりの割合が高い高確率状態のものを含むため、特別遊技状態（大当たり）が特典遊技状態中に発生したのか通常遊技状態中に発生したのかを、遊技者は前記報知手段の報知により知ることができ、遊技者に親切であるとともに、遊技に対する興味が向上する。
【０１１９】
請求項４の発明によれば、小当たり用始動口への遊技球の入球に起因して遊技の小当たりを判定する小当たり判定手段と、前記小当たり判定手段に基づく判定結果が小当たりの場合に大当たり用始動口の入球可能領域を拡大する拡大手段と、前記拡大手段の制御を行う拡大制御手段とを備え、前記特典遊技状態には、前記大当たり用始動口の入球可能領域拡大時間を通常遊技状態における前記大当たり用始動口の入球可能領域拡大時間よりも長くする、拡大時間延長状態のものを含むため、特別遊技状態（大当たり）が通常遊技状態中に発生したのか、特典遊技状態の拡大時間延長状態中に発生したのかを、遊技者は前記報知手段の報知により知ることができ、遊技者に親切であるとともに、遊技に対する興味が向上する。
【０１２０】
請求項５の発明によれば、特典遊技状態には、高確率状態と拡大時間延長状態の両者を併有するものを含むため、特別遊技状態（大当たり）が通常遊技状態中に発生したのか、高確率状態と拡大時間延長状態の両者を併有する特典遊技状態中に発生したのかを、遊技者は前記報知手段の報知により知ることができ、遊技者に親切であるとともに、遊技に対する興味が向上する。
【０１２１】
請求項６の発明によれば、遊技盤には小当たり判定図柄を変動開始後に停止表示させて前記小当たり判定図柄の停止表示態様によって前記小当たり判定手段の小当たり判定結果を表示する小当たり判定結果表示手段を備え、前記特典遊技状態には、前記小当たり判定図柄の変動開始から停止までの変動時間を前記通常遊技状態における前記小当たり判定図柄の変動時間よりも短くする、変動時間短縮状態のものを含むため、特別遊技状態（大当たり）が通常遊技状態中に発生したのか、特典遊技状態の変動時間短縮状態中に発生したのかを、遊技者は前記報知手段の報知により知ることができ、遊技者に親切であるとともに、遊技に対する興味が向上する。
【０１２２】
請求項７の発明によれば、報知手段による報知が、文字画像による表示であるため、遊技者に解りやすい。
【０１２３】
請求項８の発明によれば、報知手段による報知時に、過去の報知内容についても報知するため、例え新たに遊技をし始めた遊技者であっても、遊技者は過去にどのような遊技状態で特別遊技（大当たり）になったのかを知ることができ、遊技者に親切であるとともに、遊技に対する興味が向上する。
【０１２４】
請求項９の発明によれば、大当たり判定手段による判定結果を表示する大当たり判定結果表示手段を備え、報知手段による報知を前記大当たり判定結果表示手段への表示により行うため、判定結果表示手段を報知手段としても利用でき、部品点数の削減を実現でき、コストの低減に繋がる。
【０１２５】
請求項１０の発明によれば、遊技機の初期設定を行う初期設定手段、大当たり判定手段、特別遊技実行手段、拡大制御手段及び小当たり判定手段を少なくとも備える主制御回路と、前記主制御回路から受信した制御信号により小当たり判定結果表示手段及び大当たり判定結果表示手段の制御を行う表示制御回路とを備え、前記表示制御回路は、異なる複数の遊技状態の内、現在の遊技状態を記憶し認識するため、主制御回路の負担が少なく、主制御回路が遊技の複雑な制御に対応し易くなる。
【図面の簡単な説明】
【図１】本発明の一実施例に係る遊技機全体について釘を省略して示す正面図である。
【図２】同遊技機の電気制御を簡略に示すブロック図である。
【図３】同遊技機の表示制御を簡略に示すブロック図である。
【図４】同遊技機におけるメイン処理に関するフローチャートである。
【図５】同遊技機における乱数更新処理に関するフローチャートである。
【図６】同遊技機における大当たり判定処理に関するフローチャートである。
【図７】同遊技機におけるリーチ有無決定処理に関するフローチャートである。
【図８】同遊技機における確定停止特別図柄決定処理に関するフローチャートである。
【図９】同遊技機における変動態様決定処理に関するフローチャートである。
【図１０】同遊技機における特別図柄停止及び遊技状態処理に関するフローチャートである。
【図１１】同遊技機における特別遊技実行及び遊技状態変更処理に関する第１フローチャートである。
【図１２】同遊技機における特別遊技実行及び遊技状態変更処理に関する第２フローチャートである。
【図１３】同遊技機における小当たり判定処理に関するフローチャートである。
【図１４】同遊技機における普通図柄変動時間決定処理に関するフローチャートである。
【図１５】同遊技機における普通図柄停止処理に関するフローチャートである。
【図１６】同遊技機における始動口拡大処理に関するフローチャートである。
【図１７】同遊技機における表示制御処理に関するフローチャートである。
【図１８】同遊技機における大当たり時点での遊技状態表示処理に関するフローチャートである。
【図１９】同遊技機において報知が行われている特別図柄表示部を示す図である。
【符号の説明】
１  遊技機
３  遊技盤
６  遊技領域
９  表示装置
１０  始動口（大当たり用始動口）
１９  普通図柄変動開始用左ゲート（小当たり用始動口）
２１  普通図柄変動開始用右ゲート（小当たり用始動口）
４２  特別図柄表示部
４５  普通図柄表示部
７０  主制御回路
９０  表示制御回路
【図１】
2004202083.tif 000004
【図２】
2004202083.tif 000005
【図３】
2004202083.tif 000006
【図４】
2004202083.tif 000007
【図５】
2004202083.tif 000008
【図６】
2004202083.tif 000009
【図７】
2004202083.tif 000010
【図８】
2004202083.tif 000011
【図９】
2004202083.tif 000012
【図１０】
2004202083.tif 000013
【図１１】
2004202083.tif 000014
【図１２】
2004202083.tif 000015
【図１３】
2004202083.tif 000016
【図１４】
2004202083.tif 000017
【図１５】
2004202083.tif 000018
【図１６】
2004202083.tif 000019
【図１７】
2004202083.tif 000020
【図１８】
2004202083.tif 000021
【図１９】
2004202083.tif 000022